【手続補正書】
【提出日】平成19年8月1日(2007.8.1)
【手続補正１】
【補正対象書類名】特許請求の範囲
【補正対象項目名】全文
【補正方法】変更
【補正の内容】
【特許請求の範囲】
【請求項１】
少なくとも波長が４００ｎｍ以上４１５ｎｍ以下のレーザー光を出射し、活性層に平行な平面が光記録媒体の盤面に略平行となるように配置された半導体レーザーと、
上記半導体レーザーから出射されるレーザー光を上記光記録媒体の盤面に略垂直な方向に反射する反射面と、
上記反射面により反射されたレーザー光を光記録媒体に集光する対物レンズと、を備え、
上記半導体レーザーから上記反射面に入射するレーザー光の光軸方向と上記光記録媒体の記録トラックの延長方向とのなす角度θが、
４５°≦θ＜９０°
とされて成る
ことを特徴とする光学ピックアップ装置。
【請求項２】
上記角度θが、
４５°≦θ≦５５°
とされて成ることを特徴とする請求項１記載の光学ピックアップ装置。
【請求項３】
上記半導体レーザーから出射されるレーザー光の上記活性層に垂直なファーフィールドパターンの広がり角をθ⊥とし、上記活性層と平行なファーフィールドパターンの広がり角をθ//とすると、
２≦θ⊥／θ//≦４
とされて成ることを特徴とする請求項１記載の光学ピックアップ装置。
【請求項４】
上記光学ピックアップはさらに、少なくとも６３０ｎｍ以上６７０ｎｍ以下の波長のレーザー光及び／又は７６０ｎｍ以上８００ｎｍ以下の波長のレーザー光を出射する第２の半導体レーザーを備えた
ことを特徴とする請求項１記載の光学ピックアップ装置。
【請求項５】
上記第２の半導体から出射されたレーザー光は上記反射面によって上記光記録媒体の盤面に略垂直な方向に反射されて、上記対物レンズを介して上記光記録媒体に照射されることを特徴とする請求項４記載の光学ピックアップ。
【請求項６】
少なくとも波長が４００ｎｍ以上４１５ｎｍ以下のレーザー光を出射し、活性層に平行な平面が光記録媒体の盤面に略平行となるように配置された半導体レーザーと、
上記半導体レーザーから出射されるレーザー光を上記光記録媒体の盤面に略垂直な方向に反射する反射面と、を備え、
上記半導体レーザーから上記反射面に入射するレーザー光の光軸方向と上記光記録媒体の記録トラックの延長方向とのなす角度θが、
４５°≦θ＜９０°
とされて成り、
上記レーザー光が、対物レンズを介して上記光記録媒体に照射されて記録及び／又は再生が行われる
ことを特徴とする光記録再生装置。
【請求項７】
上記角度θが、
４５°≦θ≦５５°
とされて成ることを特徴とする請求項６記載の光記録再生装置。
【請求項８】
上記半導体レーザーから出射されるレーザー光の上記活性層に垂直なファーフィールドパターンの広がり角をθ⊥とし、上記活性層と平行なファーフィールドパターンの広がり角をθ//とすると、
２≦θ⊥／θ//≦４
とされて成ることを特徴とする請求項６記載の光記録再生装置。
【請求項９】
上記光学ピックアップはさらに、少なくとも６３０ｎｍ以上６７０ｎｍ以下のレーザー光及び／又は７６０ｎｍ以上８００ｎｍ以下の波長のレーザー光を出射する第２の半導体レーザーを備えた
ことを特徴とする請求項６記載の光記録再生装置。
【請求項１０】
光源として少なくとも波長４００ｎｍ以上４１５ｎｍ以下の光を出射する半導体レーザーを用いて、
上記半導体レーザーの活性層に平行な方向を光記録媒体の盤面に略平行に配置して、
上記半導体レーザーから出射されるレーザー光を上記光記録媒体の盤面に略垂直な方向に反射面により反射した後、対物レンズを介して上記光記録媒体に照射して記録及び／又は再生を行い、
上記半導体レーザーから上記反射面に入射するレーザー光の光軸方向と上記光記録媒体の記録トラックの延長方向とのなす角度θを、
４５°≦θ＜９０°
とする
ことを特徴とする光記録再生方法。
【請求項１１】
上記角度θを、
４５°≦θ≦５５°
とすることを特徴とする請求項１０記載の光記録再生方法。
【手続補正２】
【補正対象書類名】明細書
【補正対象項目名】０００２
【補正方法】変更
【補正の内容】
【０００２】
近年、光記録媒体において、記録密度が異なる種々のタイプの光記録媒体が開発されており、例えばディスク状の光記録媒体では、例えば使用されるレーザー光の波長が７８０ｎｍ付近であるＣＤ（Compact Disc、登録商標）、使用されるレーザー光の波長が６６０ｎｍ付近であるＤＶＤ（Digital Versatile Disc、登録商標）、使用されるレーザー光の波長が４０５ｎｍ付近であるＢＤ（Blu-ray Disc、登録商標）、同様に使用されるレーザー光の波長が４０５ｎｍ付近であるＨＤ−ＤＶＤ（High Definition DVD、登録商標）等が挙げられる。以下、ＢＤ（登録商標）の規格に基づく光記録媒体を第1の光記録媒体、ＣＤ（登録商標）の規格に基づく光記録媒体を第２の光記録媒体、ＤＶＤ（登録商標）の規格に基づく光記録媒体を第３の光記録媒体、ＨＤ  ＤＶＤ（登録商標）の規格に基づく光記録媒体を第４の光記録媒体と記す。
【手続補正３】
【補正対象書類名】明細書
【補正対象項目名】０００３
【補正方法】変更
【補正の内容】
【０００３】
これらの光記録媒体においてはその構造がそれぞれ異なり、記録密度を上げるために、第２の光記録媒体では１．６μｍであったトラックピッチが第３の光記録媒体においては０．７４μｍ、第1の光記録媒体では０．３〜０．３５μｍ程度にトラックピッチが微小化されている。
このように幅が微細化された記録トラックに対し、光源から出射された光を無駄なく、かつ最適なスポット形状で照射することが望まれる。これは、記録再生特性を良好に保つための条件であり、ビームスポット形状が記録トラック幅等の条件に最適化されていない場合は、記録再生特性の低下を招く。
【手続補正４】
【補正対象書類名】明細書
【補正対象項目名】０００６
【補正方法】変更
【補正の内容】
【０００６】
しかしながら、上述のような半導体レーザーから出射した光のファーフィールドパターンのビーム強度分布の方向を半導体レーザーの回転により調整する方法に関しては、半導体レーザーを回転することに自由度のない場合、例えば薄型のピックアップ用に実用化されている缶パッケージに収納された半導体レーザーにおいて活性層に垂直な方向が薄く作られているために、回転することが困難であり、ディスク状光記録媒体でのスポットサイズを調整することが困難であった。
また、上述したような、アナモルフィックプリズムなどの比較的高価なビーム整形素子を用いると、コスト高を招来し、また装置の小型化、薄型化を図り難いという問題がある。
【手続補正５】
【補正対象書類名】明細書
【補正対象項目名】００１２
【補正方法】変更
【補正の内容】
【００１２】
上述の本発明による光学ピックアップ装置、光記録再生装置及び光記録再生方法によれば、波長４００ｎｍ以上４１５ｎｍ以下の光を照射して記録及び／又は再生を行う上述の第1の光記録媒体に対してレーザー光を照射する場合において、半導体レーザーを回転することに自由度がない場合でも、あるいはビーム整形素子を用いなくても光記録媒体の記録トラック上に形成されるビームスポット形状を、記録トラックに沿ういわゆるタンジェンシャル方向にビームスポット径を小さくするのではなく、このタンジェンシャル方向から４５°以上傾いた方向にビームスポット径を小さく配置する構成とするものである。
このようなビームスポット形状とすることによって、上述の第1の光記録媒体において、クロストーク、クロスライトを抑制し、良好な記録再生特性をもって記録及び／又は再生を行うことができる。
更に、このタンジェンシャル方向から傾斜する角度θを、４５°以上５５°以下に選定するときには、第1の光記録媒体のみではなく、他の第２及び第３の光記録媒体と互換性を有する光学ピックアップ装置及び光記録再生装置において、各光記録媒体に対して良好な記録再生特性をもって記録及び／又は再生を行うことができる。
【手続補正６】
【補正対象書類名】明細書
【補正対象項目名】００１７
【補正方法】変更
【補正の内容】
【００１７】
このような構成の光記録再生装置１００において、スピンドルモータの回転に伴ってディスクテーブル１０３が回転されると、このディスクテーブル１０３に装着された光記録媒体１０、すなわち上述の第１の光記録媒体、第２の光記録媒体又は第３の光記録媒体等が回転され、同時に上述の機構により光学ピックアップ装置４０は、光記録媒体１０の半径方向へ移動されて、光記録媒体１０の記録面全面に対向するように移動可能とされ、所定トラック位置において記録動作又は再生動作が行われる。このとき、対物レンズ駆動装置１０８の可動部１０８ａが固定部１０８ｂに対して移動され、可動部１０８ａに設けられた後述する対物レンズのフォーカシング調整及びトラッキング調整が行われる。
【手続補正７】
【補正対象書類名】明細書
【補正対象項目名】００１８
【補正方法】変更
【補正の内容】
【００１８】
本発明による光記録再生装置１００及び光学ピックアップ装置４０に用いる光記録媒体１０としては、例えば上述の第１の光記録媒体、第２の光記録媒体、第３の光記録媒体等があげられる。これらの光記録媒体１０に対して使用されるレーザー光の波長は、第３の光記録媒体では６３０ｎｍ以上６７０ｎｍ以下、第２の光記録媒体では７６０ｎｍ以上８００ｎｍ以下、第１の光記録媒体では４００ｎｍ以上４１５ｎｍ以下とされる。
【手続補正８】
【補正対象書類名】明細書
【補正対象項目名】００１９
【補正方法】変更
【補正の内容】
【００１９】
まず、第１の実施の形態の例として、上述の第１の光記録媒体に対する記録及び／又は再生を行う光学ピックアップ装置の一例について、図２の概略構成図を参照して説明する。この場合、光学ピックアップ装置４０は、図２に示すように、例えば光源４１、ビームスプリッタ４５、コリメータレンズ４６、ミラー４４、立ち上げミラー４８、対物用のレンズ３、コンバージョンレンズ４９、受光素子５０を少なくとも備え、対物レンズ３以外は上述の図１において説明した移動ベース１０７に配置され、対物レンズ３は前述の図１において説明した対物レンズ駆動装置１０８の可動部１０８ａに設けられている。図２において、図１と対応する部分には同一符号を付して重複説明を省略する。
【手続補正９】
【補正対象書類名】明細書
【補正対象項目名】００２０
【補正方法】変更
【補正の内容】
【００２０】
光源４１からは、第１の光記録媒体に対応する４００ｎｍ以上４１５ｎｍ以下の例えば約４０５ｎｍのレーザー光Ｌ１が出射される。
ビームスプリッタ４５は、偏光方向の違いにより入射されたレーザー光を透過又は反射させる機能を有し、往路におけるレーザー光がスプリット面を透過されてコリメータレンズ４６に入射され、復路におけるレーザー光がスプリット面で反射されて受光素子５０へ向かう。
【手続補正１０】
【補正対象書類名】明細書
【補正対象項目名】００２２
【補正方法】変更
【補正の内容】
【００２２】
その後、レーザー光は、立ち上げミラー４８の反射面により図２の紙面に略垂直な方向、すなわち光記録媒体の盤面に略垂直な方向に光路を略９０°変換されて、図示しないが１／４波長板により偏光方向を変換され、また所定の収差補正素子等を介して対物レンズ３により、光記録媒体上の所定記録トラック位置上に集光される。
そして、光記録媒体から反射されたレーザー光は、対物レンズ３等を介して１／４波長板（図示せず）に入射されて再び偏光方向を変換され、立ち上げミラー４８、ミラー４４に反射されてコリメータレンズ４６を透過した後、上述したように、偏光ビームスプリッタ４５のスプリット面により反射されて、コンバージョンレンズ４９を介して矢印Ｌ２で示すように、受光素子５０の所定位置に入射され、図示しないが所定の検出機構により信号が検出される。
【手続補正１１】
【補正対象書類名】明細書
【補正対象項目名】００２７
【補正方法】変更
【補正の内容】
【００２７】
次に、光記録媒体として第１の光記録媒体の他、使用されるレーザー光の波長が７６０ｎｍ以上８００ｎｍ以下とされる第２の光記録媒体、使用されるレーザー光の波長が６３０ｎｍ以上６７０ｎｍ以下とされる第３の光記録媒体の少なくとも一方との互換性を有する光学ピックアップ装置、光記録再生装置に本発明を適用した場合の実施の形態の例について、図４を参照して説明する。図４において、図２と対応する部分には同一符号を付して重複説明を省略する。
【手続補正１２】
【補正対象書類名】明細書
【補正対象項目名】００２８
【補正方法】変更
【補正の内容】
【００２８】
この光学ピックアップ装置４０は、図１において説明した構成の光記録再生装置１００に設置される構成とし得る。
図４に示すように、この場合、例えば波長約４０５ｎｍのレーザー光を出射する第１の光源４１Ａと、例えば波長約６６０ｎｍのレーザー光と波長約７８０ｎｍのレーザー光とを出射する２つの発光素子を有する第２の光源４１Ｂとを設ける例を示す。この第２の光源４１Ｂから出射されたレーザー光Ｌｂ１は、コリメータレンズ４２により平行光とされ、偏光ビームスプリッタ４３のスプリット面で反射されて、光路合成素子４７に入射される。光路合成素子４７は、第1の光源４１Ａから出射される第１の光記録媒体に対応するレーザー光Ｌａ１を略９０°の角度をもって反射し、第２の光源４１Ｂから出射される第２、第３の光記録媒体に対応するレーザー光Ｌｂ１を透過する構成とする。
【手続補正１３】
【補正対象書類名】明細書
【補正対象項目名】００３０
【補正方法】変更
【補正の内容】
【００３０】
そして、光記録媒体１０から反射された第２、第３の光記録媒体に対応するレーザー光は、対物レンズ３等を介して図示しない１／４波長板に入射されて再び偏光方向を変換され、立ち上げミラー４８に反射され、光路合成素子４７を透過した後、偏光ビームスプリッタ４３のスプリット面を透過して、コリメータレンズ５１、ミラー５２、コンバージョンレンズ５３を介して受光素子５４の所定位置に入射され、図示しないが所定の検出機構により信号が検出される。
【手続補正１４】
【補正対象書類名】明細書
【補正対象項目名】００３１
【補正方法】変更
【補正の内容】
【００３１】
このように、第２及び第３の光記録媒体のうち少なくとも一方の光記録媒体と互換性を有する光学ピックアップ装置４０、光記録再生装置を構成する場合は、光記録媒体の記録トラック上に照射するビームスポットの短軸方向ａを、タンジェンシャル方向ｔから、
４５°≦θ≦５５°
とすることが望ましい。
このように、第２の光記録媒体や第３の光記録媒体の少なくとも一方の光記録媒体との互換性を有する構成とする場合、第２、第３の光記録媒体等においては、比較的トラックピッチが大きく、ビームスポットがラジアル方向に傾いていてもクロストーク、クロスライトはあまり問題とならない。むしろ、特に第２、第３の光記録媒体等においては、タンジェンシャル方向の記録マーク間のジッターの増大化を抑制するために、従来はタンジェンシャル方向からビームスポットの短軸方向の傾斜を４５°未満としており、本実施の形態の例においても大幅に傾斜させないことが望ましい。このため、ビームスポットの短軸方向の傾斜角度θは、上述したように、４５°≦θ≦５５°の範囲に選定することによって、記録再生特性の低下を回避することができる。
これにより、第２及び／又は第３の光記録媒体と、第１の光記録媒体とに対し、良好に記録再生特性を保持することが可能な光学ピックアップ装置、光記録再生装置を提供することが可能となる。
【手続補正１５】
【補正対象書類名】明細書
【補正対象項目名】００３２
【補正方法】変更
【補正の内容】
【００３２】
以上説明したように、本発明の光学ピックアップ装置、光記録再生装置及び光記録再生方法によれば、半導体レーザーを回転することに自由度がない場合でも、あるいはビーム整形素子を用いなくても、ビームスポット形状の傾斜角度を適切に選定することによって、より安定した良好な記録再生特性を保持することができる。
また、更に傾斜角度範囲を選定することによって、第２、第３の光記録媒体等との互換性を有する光学ピックアップ装置、光記録再生装置を構成する場合においても、各光記録媒体に対して良好な記録再生特性を保持することが可能となる。
【手続補正１６】
【補正対象書類名】図面
【補正対象項目名】図４
【補正方法】変更
【補正の内容】
【図４】
2006048794.tif 000001